(57)【要約】【目的】所要ステッチ量の異なる少なくとも２種類の柄をそれぞれ異なるカムレースの針で編成する。【構成】回転シリンダーに対向して設置されるカムホルダー（１０）に取り付けられるステッチ調整具（２２Ａ，２２Ｂ）を有する丸編機用ステッチ量調節装置（２０）である。前記カムホルダー（１０）は少なくとも２段のカムレース（１２）を有する。前記ステッチ調節具（２２Ａ，２２Ｂ）は、各給糸口において、少なくとも２個設けられており、各ステッチ調節具（２２Ａ，２２Ｂ）は個々にステッチの調整可能であると共に、１個のステッチ調節具（２２Ａ）の調整で各カムレース（１２）全体のステッチ量調整が可能である。【選択図】  図１
2004232128.tif 000002
【特許請求の範囲】
【請求項１】
回転シリンダーに対向して設置されるカムホルダー（１０）に取り付けられるステッチ調整具（２２Ａ，２２Ｂ）を有する丸編機におけるステッチ量の調節装置（２０）であって、
前記カムホルダー（１０）は少なくとも２段のカムレース（１２）を有し、
前記ステッチ調節具（２２Ａ，２２Ｂ）は、各給糸口において、少なくとも２個設けられており、各ステッチ調節具（２２Ａ，２２Ｂ）は個々にステッチの調整可能であると共に、１個のステッチ調節具（２２Ａ）の調整で各カムレース（１２）全体のステッチ量調整が可能であることを特徴とする丸編機におけるステッチ量の調節装置。
【請求項２】
前記ステッチ調整具（２２Ａ，２２Ｂ）が、カムを固定しているカムセットピース（１４Ａ，１４Ｂ）に調整可能なように係合している請求項１記載の装置。
【請求項３】
前記カムセットピース（１４Ａ，１４Ｂ）が少なくとも２つからなり、それぞれのカムセットピース（１４Ａ，１４Ｂ）は接合可能である請求項２記載の装置。
【請求項４】
前記少なくとも２つのカムセットピース（１４Ａ，１４Ｂ）同士が段部（１４Ａｂ，１４Ｂｂ）で接合する請求項３記載の装置。
【請求項５】
前記少なくとも２つのカムセットピース（１４Ａ，１４Ｂ）同士が爪（１４Ａｃ，１４Ｂｃ）付きの段部（１４Ａｄ，１４Ｂｄ）で接合する請求項３記載の装置。
【請求項６】
ニットカム（１３ａ）及びタックカム（１３ｂ）を直接カムセットピースに取り付けた請求項１記載の装置。
【請求項７】
ステッチカム（１３ｄ，１３ｆ）を直接カムセットピースに取り付けた請求項１記載の装置。
【請求項８】
単一のステッチ調整具（２２Ａ，２２Ｂ）でステッチ量を調整することにより全てのカムレースにおいて同一のステッチ量が得られるステッチ量の調節方法であって、
各ステッチ調整具（２２Ａ，２２Ｂ）に係合するカムセットピース（１４Ａ，１４Ｂ）同士が接合の状態において、それぞれのカムレース間のピッチ（Ｘ，Ｙ，Ｚ）を、針のバット間のピッチ（Ａ，Ｂ，Ｃ）と同一になるように設定することを特徴とする丸編機におけるステッチ量の調節方法。
【発明の詳細な説明】
【０００１】
【発明の属する技術分野】
本発明は、丸編機におけるステッチ量の調節装置及び調節方法に関する。
【０００２】
【従来の技術】
一般的に、ステッチ量は、編み組織に応じたステッチ量に調整しなければならない。たとえば、リブ柄と針抜き柄を組み合わせた編地を編成する場合に、針抜き柄のステッチ量をリブ柄と同じステッチ量ですると、針抜き柄の部分の編目が小さくなりすぎ編成が困難になる。
【０００３】
この問題を解決するため、従来、次のような編成方法があった。
（１）針のフック位置からカムの係合するバット位置までの距離を変えて、針抜き部ではリブ部よりその距離が短い針を使用していた。（１ステッチ方式）
（２）針抜き部とリブ部では異なった針を使用し、それに対応した個別のステッチ量調整具によってステッチ量を変えていた。（２ステッチ方式）
【０００４】
【発明が解決しようとする課題】
前記（１）の方法では、そのステッチ量の差を針のフック位置からカムの係合するバット位置までの距離によって決定しているため、任意の度目調整は困難であった。また前記の距離が異なる複数種の針を準備する必要があった。
【０００５】
前記（２）の方法では、図４のようなリブ部と針抜き部を含んだ組み合わせ柄から図５に示すリブ柄に編み組織の変更を行う場合、その調整手順として任意の針を針抜き部Ｘに挿入し、全ての針のステッチ量を同一に調整しなければならない。そのために、針抜き部の針Ｄ、Ｅに対応したカムレースＤ、Ｅのステッチ量をステッチ調整具により、リブ部の針Ｂ、Ｃに対応したカムレースＢ、Ｃのステッチ量と同じになるように調整していた（図６参照）。この作業は針の動作ラインを目視で観測しながら調整する方法もあるが、経験が必要であった。より正確に調整するにはダイヤルゲージなどの計測器を用いなければならず、調整には手数と時間が掛かった。
【０００６】
本発明はこの問題を解決するために行われたもので、ステッチ量の異なる少なくとも２種類の柄をそれぞれ異なるカムレースの針で編成することを可能とするステッチ量調節装置を提供することを目的とする。
【０００７】
【課題を解決するための手段】
前記目的を達成する本発明のステッチ量調節装置は、回転シリンダーに対向して設置されるカムホルダーに取り付けられるステッチ調整具を有する丸編機用ステッチ量調節装置であって、前記カムホルダーは少なくとも２段のカムレースを有し、前記ステッチ調節具は、各給糸口において、少なくとも２個設けられており、各ステッチ調節具は個々にステッチの調整可能であると共に、１個のステッチ調節具の調整で各カムレース全体のステッチ量調整が可能であることを特徴とする。
【０００８】
本発明のステッチ量の調節方法は、単一のステッチ調整具でステッチ量を調整することにより全てのカムレースにおいて同一のステッチ量が得られるステッチ量の調節方法であって、各ステッチ調整具に係合するカムセットピース同士が接合の状態において、それぞれのカムレース間のピッチを、針のバット間のピッチと同一になるように設定することを特徴とする。
【０００９】
【発明の実施の態様】
各ステッチ量調節具は、カムを固定しているカムセットピースに調整可能なように係合させるのが好ましい。このカムセットピースは少なくとも２つからなり、それぞれのカムセットは接合可能であることが好ましい。接合は、カムセットピース同士が段部で接合するようにしてもよいし、爪付きの段部で接合するようにしてもよい。
【００１０】
カムセットピースにはニットカム、タックカムを直接に取り付けてもよいし、ステッチカムを直接取り付けてもよい。
【００１１】
ステッチ量調節具には手動のものと自動のものがあるが、そのどちらでもよい。手動式の機構としては、水平方向のネジ運動を垂直方向の運動に変換する公知の機構を採用することができる。自動装置の例としては、例えば本出願人の特許第２８９２３９２号、特許第２８６９１１９号の機構を採用することができる。手動のステッチ量調節具と自動のステッチ量調節具の組合せでもよい。
【００１２】
【実施例】
以下、添付の図面に基づき、本発明の実施例を説明する。
【００１３】
図１は丸編機の編成部に設けられるカムホルダー１０の断面図（図２の１−１断面図）である。図２はカムホルダーの正面図である。図３は、ステッチ量調節装置２０を構成するステッチ調整具２２Ａの分解斜視図である。
【００１４】
丸編機の回転シリンダー（図示せず）と対向して設けられるカムホルダー１０はボルト１１によってカムリング（図示せず）上に固定される。このカムホルダーには編針（図示せず）を制御もしくは作動させるカムレース１２（１２Ｂ，１２Ｃ，１２Ｄ，１２Ｅ）を有する制御カム１３が取り付けられている。
【００１５】
編地の密度を変更するためにはカム１３を上下させる必要がある。そのためには、カム１３をカムセットピース１４に取り付け、ステッチ量調節装置２０（以下、「調節装置」という）によりこのカムセットピースを上下させている。
【００１６】
図１に示す調節装置２０は手動式のもので、上下方向に２個設けられたステッチ調整具２２Ａ，２２Ｂからなる。それぞれの構造はほぼ同一である。
【００１７】
上側カムセットピース１４Ａには、図１、３に示すように、斜め傾斜の切り欠き部１４Ａａが設けられている。この切り欠き部１４Ａａに対応して、はまり合うのは、円柱状のネジ２１Ａに設けられた斜め切り欠き部２１Ａａである。ネジ２１Ａの外周部には、このネジ２１Ａに対応する雌ねじ部を有するステッチ調整具２２Ａが設けられ、その円筒外周部にはノッチ部２２Ａａが加工されている。ステッチ調整具２２Ａはバネ２３Ａａで付勢されたピン２３Ａで回転可能に固定されており、ステッチ調整具２２Ａとネジ２１Ａはねじ込んだ状態で取り付けられているので、ステッチ調整具２２Ａの後端２２Ａｂをドライバーなどで回転させると、ネジ２１Ａは左右に移動し、それに伴ってカムセットピース１４Ａは上下方向の動きをする。
【００１８】
前記したように、カムセットピース１４Ａにカム１３が取り付けられているので、カムセットピースの上下動によりカムが上下動する。
【００１９】
下側カムセットピース１４Ｂもほぼ同じ構成を有するので、上側カムセットピースの符号の「Ａ」の代わりに「Ｂ」を付けて、詳細な説明を省略する。
【００２０】
図１に示すように、上側カムセットピース１４Ａの下端部は段部１４Ａｂを形成しており、同じく段部を形成している下側カムセットピース１４Ｂの上端部１４Ｂｂと接触可能である。下側カムセットピース１４Ｂを予め上昇させると、それぞれの段部１４Ａｂ、１４Ｂｂが接触し、上側カムセットピース１４Ａが下降すると、同時移動が可能である。しかし、下側のステッチ調整装置２２Ｂにより下側カムセットピース１４Ｂを上昇させようとしても、それぞれの段部１４Ａｂ，１４Ｂｂが接触した状態では、下側カムセットピース１４Ｂは上昇しない。また、それぞれの段部１４Ａｂ，１４Ｂｂが接触しない状態では上下カムセットピース１４Ａ，１４Ｂはそれぞれ単独で移動可能となる。したがって、上下カムセットピース１４Ａ，１４Ｂはそれぞれ単独で移動可能であると共に、上側ステッチ調整具２２Ａにより上下カムセットピース１４Ａ，１４Ｂを同時移動が可能であるが、下側ステッチカム調整具２０Ｂでは上下カムセットピース１４Ａ，１４Ｂを同時移動することはできない関係にある。
【００２１】
＜変形例１＞
段部は特に設けなくても実施可能である。しかし、接触状態をより確実にするために段部を設けるのが好ましい。
【００２２】
＜変形例２＞
また、別の実施例として、上下段部を図７のように、それぞれの段部を爪１４Ａｃ，１４Ｂｃ付きの段部１４Ａｄ，１４Ｂｄとすることもできる。上側カムセットピースの下端部の爪１４Ａｃは、下側カムセットピースの上端部の爪１４Ｂｃと係合可能である。この構成では、上側カムセットピース１４Ａを予め上昇させると、それぞれの接合部１４Ａｅ，１４Ｂｅが接触し、下側カムセットピース１４Ｂが下降すると、同時移動が可能である。しかし、段落００２６で後述するように、上下カムセットピースの接合部が接合状態にあるとき、それぞれのカムレース間のピッチ（Ｘ，Ｙ，Ｚ）は針のバット間のピッチ（Ａ，Ｂ，Ｃ）と同一になるように設定しておく必要があるため、接合部１４Ａｅ，１４Ｂｅ以外で接合状態にあっても、上側ステッチカム調整具２２Ａにより上下カムセットピース１４Ａ，１４Ｂを同時移動させるような設定にはできない。また上側カムセットピースの爪１４Ａｃと下側カムセットピースの段部１４Ｂｄおよび下側カムセットピースの爪１４Ｂｃと上側カムセットピースの段部１４Ａｄの間には、それぞれギャップを設けているので、上下カムセットピースはそれぞれ単独で移動可能となる。したがって、上下カムセットピース１４Ａ，１４Ｂは、それぞれ単独で移動可能であると共に、下側ステッチカム調整具２２Ｂにより上下カムセットピース１４Ａ，１４Ｂを同時移動が可能であるが、上側ステッチカム調整具２２Ａにより上下カムセットピース１４Ａ，１４Ｂを同時移動することはできない関係にある。
【００２３】
本発明による複数の調節装置は個々に調整可能であると共に、一方のステッチ量調整具で上下共に調整可能である。したがって、２つのステッチ調節具の場合、例えば、
（１）１つのステッチ調節具により、両方のカムレースともステッチ量を０ｍｍ〜３．０ｍｍ。
（２）２つのステッチ調節具により、それぞれのカムレースでステッチ量を０ｍｍ〜３．０ｍｍと０ｍｍ〜３．０ｍｍ
というような選択的な調整が可能である。
【００２４】
また、３つのステッチ調整具がＢ，Ｃ，Ｄのカムレースに対応する場合、例えば、
（１）１つのステッチ調整具により、３つのカムレースともステッチ量を０〜３．０ｍｍ。
（２）２つのステッチ調整具により。２つのカムレース▲１▼（Ｂまたは、Ｂ，Ｃ）のステッチ量を０〜３．０ｍｍ、▲２▼（Ｃ，ＤまたはＤ）のステッチ量を０〜３．０ｍｍ。
（３）３つのステッチ調整具により、それぞれのカムレースでステッチ量を０〜３．０ｍｍ
というような選択的な調整が可能である。
【００２５】
本発明において、図４のようなリブ部と針抜き部を含んだ組み合わせ柄及び図５に示すリブ柄に編み組織を編成する方法を説明する。
【００２６】
図８はリブ柄の編成状態を示している。下側のステッチ調整具２２Ｂによって、下側カムセットピース１４Ｂが上側カムセットピース１４Ａに接合する位置まで下側のカムセットピース１４Ｂを上昇させる。さらに下側のステッチ調整具２２Ｂにより下側のカムセットピース１４Ｂを上昇させようとしたときは、図８のように、下側のネジ２１の斜めきり欠き部２１ａは、下側カムセットピースの切り欠き部と係合しておらず隙間が空いた状態である。この時にそれぞれのカムレース間のピッチ（Ｘ，Ｙ，Ｚ）は、針のバット間のピッチ（Ａ，Ｂ，Ｃ）と同一になるように設定しておく必要がある。この状態において、上側のステッチ調整具２２Ａでステッチ量を調整すれば全てのカムレースにおいて同一のステッチ量となる。
【００２７】
図９はリブ部と針抜き部を含んだ組み合わせ柄の編成状態を示している。より多いステッチ量となる１２Ｄ・１２Ｅカムレースに対応したＤ針とＥ針で針抜き部を編成する。下側のステッチ調整具２２Ｂでより多いステッチ量に調整すれば、Ｇの寸法は図８のＹ寸法よりもＨ寸法だけ多いステッチ量で調整することが出来る。
【００２８】
＜変形例３＞
前記各実施例では、４段のカムレース１２（Ｂ，Ｃ，Ｄ，Ｅ）となっているが、カムセットピースは上下２段１４Ａ，１４Ｂとなっている。このため、上段カムセットピース１４Ａでは上段２種類のカム（レース）を調整し、下段カムセットピース１４Ｂでは下段２種類のカム（レース）を調整する。４段のカムレースをすべて別々に調整出来るようにするためには、４種類のカムセットピースが必要になる。
【００２９】
＜変形例４＞
図２では、ニットカム１３ａ、タックカム１３ｂを直接カムセットピースに取り付けているが、別の実施例として、図１０に示すように、ニットカムをレイジングカム１３ｃとステッチカム１３ｄに、タックカムをタックレイジングカム１３ｅとステッチカム１３ｆに分割しても可能で、この場合はカムセットピースにはステッチカムを取り付け、ステッチ量の変更を行う。
【００３０】
以上は、回転シリンダーに対向して設置されるカムホルダーに取り付けられるステッチ調整具について記載しているが、これに限定されるものでなく、回転ダイヤルに対向して設置されるカムホルダーに取り付けられるステッチ調整具についても同様に実施可能である。
【００３１】
【発明の効果】
本発明の装置によれば、次の効果が得られる。
（１）１つの給糸口における各カムレースで同一ステッチ量であることが望ましいリブ柄などでは、各カムレースのステッチ量を同一に編成することが可能である。
（２）１つの給糸口におけるいずれかのカムレースで異なったステッチ量が必要であるリブ柄と針抜き柄からなる組み合わせ柄などでは、一方のカムレースでリブ柄を、他方のカムレースでより大きなステッチ量が必要な針抜き柄を編成することが可能である。
【００３２】
本発明の方法によれば、単一のステッチ調整具でステッチ量を調整すれば全てのカムレースにおいて同一のステッチ量が得られる。
【図面の簡単な説明】
【図１】丸編機の編成部に設けられるカムホルダーの断面図（図２の１−１断面図）である。
【図２】カムホルダーの正面図である。
【図３】ステッチ量調節装置の分解斜視図である。
【図４】リブ部と針抜き部を含んだ組み合わせ柄である。
【図５】リブ柄である。
【図６】図４の柄から図５の柄に編み組織の変更を行う場合に、カムレースのステッチ量を変更する状態を示すカムレースの正面図である。
【図７】上下カムセットピースの接合方法の別の実施例を示す側面図である。
【図８】本発明によるリブ柄の編成状態を示している。
【図９】本発明によるリブ部と針抜き部を含んだ組み合わせ柄の編成状態を示している。
【図１０】制御カムの別の実施例を示す正面図である。
【符号の説明】
１０          カムホルダー
Ｂ，Ｃ，Ｄ，Ｅ        カムレース
１３          制御カム
１４Ａ，１４Ｂ        カムセットピース
１４Ａａ，１４Ｂａ                                    斜め切り欠き部
１４Ａｂ，１４Ｂｂ                                    切り欠き段部
１４Ａｃ，１４Ｂｃ                爪
１４Ａｄ，１４Ｂｄ                                    爪付き段部
２０          ステッチ量調節装置
２１Ａ，２１Ｂ        ネジ
２１Ａａ，２１Ｂａ                                    斜め切り欠き部
２２Ａ，２２Ｂ        ステッチ調整具
２２Ａａ，２２Ｂａ                                    ノッチ調整部
２２Ａｂ，２２Ｂｂ                                    後端
２３Ａ，２３Ｂ        ピン
２４Ａ，２４Ｂ        ギャップ除去用バネ
【図１】
2004232128.tif 000003
【図２】
2004232128.tif 000004
【図３】
2004232128.tif 000005
【図４】
2004232128.tif 000006
【図５】
2004232128.tif 000007
【図６】
2004232128.tif 000008
【図７】
2004232128.tif 000009
【図８】
2004232128.tif 000010
【図９】
2004232128.tif 000011
【図１０】
2004232128.tif 000012